(57)【要約】【課題】画像の視認性を確保しつつ、画像を表示する際の操作性を向上させることができる携帯電子機器を提供すること。【解決手段】携帯電話機１は、複数の数字キーを有する数字キー１４ａと、表示部２１と、複数の画像を記憶するメモリ４４と、表示部２１に複数の画像のうちの画像Ａが表示されている状態で、数字キーへの入力を受け付けた場合、画像Ａとメモリ４４に記憶される複数の画像の順序とに基づいて、数字キーより入力された数だけ画像Ａより前及び後に記憶されている画像Ｂ及び画像Ｃをフレームバッファ４２ａに記憶させる画像制御部４５ａと、数字キーへの入力を受け付けてから所定期間内に、画像Ｂ又は画像Ｃのいずれか一方を選択する選択操作を受け付けた場合、表示部２１に表示される画像Ａからフレームバッファ４２ａに記憶される画像Ｂ又は画像Ｃのいずれか一方へ表示を更新する表示更新部４２ｂと、を備える。【選択図】図２
2010177868.tif 000002
【特許請求の範囲】
【請求項１】
複数の数字キーを有する操作部と、
表示部と、
複数の画像を記憶する記憶部と、
前記表示部に前記複数の画像のうちの第１の画像が表示されている状態で、前記数字キーへの入力を受け付けた場合、前記第１の画像と前記記憶部に記憶される前記複数の画像の順序とに基づいて、前記数字キーより入力された数だけ前記第１の画像より前及び後に記憶されている第２の画像及び第３の画像を一時記憶部に記憶させる画像制御部と、
前記数字キーへの入力を受け付けてから所定期間内に、前記第２の画像又は前記第３の画像のいずれか一方を選択する選択操作を受け付けた場合、前記表示部に表示される前記第１の画像から前記一時記憶部に記憶される前記第２の画像又は前記第３の画像のいずれか一方へ表示を更新する表示更新部とを備えることを特徴とする携帯電子機器。
【請求項２】
前記表示更新部は、
前記第１の画像が表示されている状態で前記数字キーへの入力を受け付けた際に、前記第１の画像の表示から、前記第２の画像及び前記第３の画像の少なくとも一部を前記第１の画像に重畳させたプレビュー画像の表示へ、前記表示部の表示を更新し、当該プレビュー画像が表示されている状態で、前記第２の画像又は前記第３の画像のいずれか一方を選択する第２の操作を受け付けた場合、前記プレビュー画像から前記一時記憶部に記憶される前記第２の画像又は前記第３の画像のいずれか一方へ表示を更新することを特徴とする請求項１に記載の携帯電子機器。
【請求項３】
前記プレビュー画像は、前記第２の画像及び前記第３の画像の縮小画像を、前記第１の画像に重畳させた画像であることを特徴とする請求項２に記載の携帯電子機器。
【請求項４】
前記記憶部に記憶された複数の画像のサムネイル画像を生成するサムネイル画像生成部をさらに有し、
前記表示更新部は、
前記第１の画像が表示されている状態で前記数字キーへの入力を受け付けた際に、
前記第１の画像の表示から前記サムネイル画像の一覧表示へ前記表示部の表示を更新し、当該サムネイル画像が一覧表示されている状態で、前記第２の画像又は前記第３の画像のいずれか一方を選択する第２の操作を受け付けた場合、前記サムネイル画像の一覧表示から前記一時記憶部に記憶される前記第２の画像又は前記第３の画像のいずれか一方へ表示を更新することを特徴とする請求項１に記載の携帯電子機器。
【請求項５】
前記表示更新部は、
前記数字キーへの入力が維持されている間、前記サムネイル画像の一覧を前記表示部に表示し、
前記数字キーへの入力が解除された場合、前記サムネイル画像の一覧表示から前記第１の画像の表示へ前記表示部の表示を更新することを特徴とする請求項４に記載の携帯電子機器。
【発明の詳細な説明】
【技術分野】
【０００１】
本発明は、表示部を有する携帯電子機器に関する。
【背景技術】
【０００２】
従来、携帯電話機等の携帯電子機器は、一般的に各種情報を表示する表示部を有している。しかし、携帯電子機器は、通常の電子機器よりも小型のものが多く、表示部の画像を表示する表示領域が限られている。このため、表示部に画像を表示する際には、一つの画像を表示部の表示領域全体に表示する、又は複数の画像のサムネイル画像を一覧表示する場合が多い。
【０００３】
表示部にサムネイル画像を表示する技術として、例えば、特許文献１及び２のような技術が提案されている。
【先行技術文献】
【特許文献】
【０００４】
【特許文献１】特開２００７−１１６４７２号公報
【特許文献２】特開２００６−３０３６３５号公報
【発明の概要】
【発明が解決しようとする課題】
【０００５】
しかしながら、サムネイル画像の一覧表示の場合には、一つの画像が小さいため、画像の視認性があまり良くない。一方、一つの画像を表示領域全体に表示する場合には、表示部に表示中の画像から所望の枚数前の画像、又は所望の枚数後の画像に切り替えるために、操作部を複数回操作する必要があった。
【０００６】
そこで、本発明は、画像の視認性を確保しつつ、画像を表示する際の操作性を向上させることができる携帯電子機器を提供することを目的とする。
【課題を解決するための手段】
【０００７】
本発明に係る携帯電子機器は、上記課題を解決するために、複数の数字キーを有する操作部と、表示部と、複数の画像を記憶する記憶部と、前記表示部に前記複数の画像のうちの第１の画像が表示されている状態で、前記数字キーへの入力を受け付けた場合、前記第１の画像と前記記憶部に記憶される前記複数の画像の順序とに基づいて、前記数字キーより入力された数だけ前記第１の画像より前及び後に記憶されている第２の画像及び第３の画像を一時記憶部に記憶させる画像制御部と、前記数字キーへの入力を受け付けてから所定期間内に、前記第２の画像又は前記第３の画像のいずれか一方を選択する選択操作を受け付けた場合、前記表示部に表示される前記第１の画像から前記一時記憶部に記憶される前記第２の画像又は前記第３の画像のいずれか一方へ表示を更新する表示更新部とを備えることを特徴とする。
【０００８】
また、前記表示更新部は、前記第１の画像が表示されている状態で前記数字キーへの入力を受け付けた際に、前記第１の画像の表示から、前記第２の画像及び前記第３の画像の少なくとも一部を前記第１の画像に重畳させたプレビュー画像の表示へ、前記表示部の表示を更新し、当該プレビュー画像が表示されている状態で、前記第２の画像又は前記第３の画像のいずれか一方を選択する第２の操作を受け付けた場合、前記プレビュー画像から前記一時記憶部に記憶される前記第２の画像又は前記第３の画像のいずれか一方へ表示を更新することが好ましい。
【０００９】
また、前記プレビュー画像は、前記第２の画像及び前記第３の画像の縮小画像を、前記第１の画像に重畳させた画像であることが好ましい。
【００１０】
また、前記記憶部に記憶された複数の画像のサムネイル画像を生成するサムネイル画像生成部をさらに有し、前記表示更新部は、前記第１の画像が表示されている状態で前記数字キーへの入力を受け付けた際に、前記第１の画像の表示から前記サムネイル画像の一覧表示へ前記表示部の表示を更新し、当該サムネイル画像が一覧表示されている状態で、前記第２の画像又は前記第３の画像のいずれか一方を選択する第２の操作を受け付けた場合、前記サムネイル画像の一覧表示から前記一時記憶部に記憶される前記第２の画像又は前記第３の画像のいずれか一方へ表示を更新することが好ましい。
【００１１】
また、前記表示更新部は、前記数字キーへの入力が維持されている間、前記サムネイル画像の一覧を前記表示部に表示し、前記数字キーへの入力が解除された場合、前記サムネイル画像の一覧表示から前記第１の画像の表示へ前記表示部の表示を更新することが好ましい。
【発明の効果】
【００１２】
本発明によれば、画像の視認性を確保しつつ、画像を表示する際の操作性を向上させることができる携帯電子機器を提供することができる。
【図面の簡単な説明】
【００１３】
【図１】本発明に係る携帯電子機器の一例である携帯電話機１の外観斜視図である。
【図２】携帯電話機１の機能を示す機能ブロック図である。
【図３】（ａ）及び（ｂ）は、第１実施形態の携帯電話機における表示部、数字キー、及びサイドキーの動作について示す模式図である。
【図４】第１実施形態の携帯電話機の表示部に画像を表示する際の処理の流れについて示すフローチャートである。
【図５】（ａ）〜（ｃ）は、第２実施形態の携帯電話機における表示部、数字キー、及びサイドキーの動作について示す模式図である。
【図６】第２実施形態の携帯電話機の表示部に画像を表示する際の処理の流れについて示すフローチャートである。
【図７】（ａ）〜（ｃ）は、第３実施形態の携帯電話機における表示部、数字キー、及びサイドキーの動作について示す模式図である。
【図８】第３実施形態の携帯電話機の表示部に画像を表示する際の処理の流れについて示すフローチャートである。
【図９】（ａ）〜（ｃ）は、第４実施形態の携帯電話機における表示部、数字キー、及びサイドキーの動作について示す模式図である。
【図１０】第４実施形態の携帯電話機の表示部に画像を表示する際の処理の流れについて示すフローチャートである。
【発明を実施するための形態】
【００１４】
以下、本発明の実施の形態について説明する。図１は、本発明に係る携帯電子機器の一例である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１５】
携帯電話機１は、操作部側筐体２と、表示部側筐体３と、を備える。操作部側筐体２は、表面部に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、操作部側筐体２の右側面部に配置されるサイドキー１６（１６ａ，１６ｂ）と、から構成されている。また、入力操作キー１４は、数字「０〜９」が各キーに対応付けられた数字キー１４ａを有している。なお、各サイドキーについて共通する説明を行う場合には、「サイドキー１６」の表現を用い、各サイドキーについて個別の説明を行う場合には、「サイドキー１６ａ」、「サイドキー１６ｂ」等の表現を用いる。
【００１６】
また、表示部側筐体３は、表面部に、各種情報を表示するための表示部２１と、通話の相手側の音声を出力するスピーカ２２と、を備える。
【００１７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００１８】
図２は、携帯電話機１の機能を示す機能ブロック図である。携帯電話機１は、図２に示すように、操作部１１と、マイク１２と、メインアンテナ４０と、ＲＦ回路部４１と、表示制御部４２と、音声処理部４３と、メモリ４４と、制御部４５と、が操作部側筐体２に備えられ、表示部２１と、スピーカ２２と、が表示部側筐体３に備えられている。
【００１９】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００２０】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知を行う。
【００２１】
また、表示制御部４２は、フレームバッファ４２ａと、表示更新部４２ｂと、を備えている。表示制御部４２は、制御部４５の制御にしたがって、所定の画像処理を行い、処理後の画像データをフレームバッファ４２ａに一時的に記憶する。そして、表示制御部４２は、フレームバッファ４２ａに記憶される画像データを、所定のタイミングで表示部２１に出力する。フレームバッファ４２ａ及び表示更新部４２ｂの動作の詳細については、後述する。
【００２２】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２３】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２４】
メモリ４４は、例えば、ワーキングメモリを含み、制御部４５による演算処理に利用される。また、メモリ４４には、複数のアプリケーションや当該アプリケーションが必要とする各種のテーブルや各種情報等が記憶されている。また、メモリ４４は、着脱可能な外部メモリを兼ねていてもよい。また、メモリ４４は、後述する複数の画像や演出画像等を記憶している。
【００２５】
制御部４５は、携帯電話機１の全体を制御しており、中央処理装置（ＣＰＵ）等を用いて構成される。また、制御部４５は、画像制御部４５ａと、プレビュー画像生成部４５ｂと、サムネイル画像生成部４５ｃと、を備える。
【００２６】
＜第１実施形態＞
次に、第１実施形態の携帯電話機１が表示部２１に画像を表示する際の動作について、図３（ａ）及び（ｂ）を参照しながら説明する。図３（ａ）及び（ｂ）は、第１実施形態の携帯電話機１における表示部２１、数字キー１４ａ、及びサイドキー１６の動作について示す模式図である。
図３（ａ）に示すように、表示部２１には、メモリ４４に記憶される画像のうちの画像Ａ（第１の画像）が表示部２１の表示領域全体に表示（全画面表示）されている。なお、以下の第１〜第４実施形態では、メモリ４４には、画像Ａの４枚前に画像Ｂ（第２の画像）が記憶され、画像Ａの４枚後に画像Ｃ（第３の画像）が記憶されているものとする。また、サイドキー１６ａは、数字キー１４ａの数に対して、表示中の画像よりも前の数に対応している。また、サイドキー１６ｂは、数字キー１４ａの数に対して、表示中の画像よりも後の数に対応している。
【００２７】
画像制御部４５ａは、表示部２１に画像Ａが表示されている状態で、数字キー１４ａの数「４」の長押し入力を受け付ける。画像制御部４５ａは、数字キー１４ａより数「４」の長押し入力を受け付けた場合、画像Ａとメモリ４４に記憶される複数の画像の順序とに基づいて、数字キー１４ａより入力された数「４」だけ、画像Ａより前及び後に記憶されている画像Ｂ、及び画像Ｃをフレームバッファ４２ａに記憶させる。なお、「長押し」とは、操作部１１の各キーの押下を一定期間維持する状態をいう。なお、メモリ４４に記憶される画像は、記憶された日付の古い（新しい）順序、容量の小さい（大きい）順序、又はユーザが任意に定める順序で構成されているものとする。
【００２８】
そして、数字キー１４ａより数「４」の長押し入力を受け付けてから所定期間内に、サイドキー１６により画像Ｂ又は画像Ｃのいずれか一方を選択する選択操作を受け付けた場合、表示更新部４２ｂは、表示部２１に表示される画像Ａから、フレームバッファ４２ａに記憶される画像Ｂ又は画像Ｃのいずれか一方へ表示を更新する。
【００２９】
具体的には、図３（ａ）に示すように、表示更新部４２ｂは、数字キー１４ａへ数「４」の長押し入力を受け付けてから所定期間内に、サイドキー１６ａにより画像Ｂを選択する選択操作を受け付ける。
【００３０】
そして、図３（ｂ）に示すように、表示更新部４２ｂは、表示部２１に表示される画像Ａから、フレームバッファ４２ａに記憶される画像Ｂへ表示を切り替える。すなわち、数字キー１４ａへ数「４」の長押し入力を受け付けてから所定期間内に、サイドキー１６ａにより画像Ｂを選択する選択操作を受け付けると、画像Ａから、画像Ａよりも４枚前に記憶されている画像Ｂへと表示部２１の表示を更新する。
【００３１】
次に、第１実施形態の携帯電話機１の表示部２１に画像を表示する際の処理の流れについて図４のフローチャートを参照しながら説明する。
【００３２】
先ず、ステップＳ１において、表示更新部４２ｂは、画像Ａを表示部２１に全画面表示している。
ステップＳ２において、画像制御部４５ａは、数字キー１４ａが長押しされたか否かを判定する。数字キー１４ａが長押しされた場合（Ｙｅｓ）には、ステップＳ３へ移る。一方、数字キー１４ａが長押しされない場合（Ｎｏ）には、ステップＳ２へ移る。
【００３３】
ステップＳ３において、画像制御部４５ａは、画像Ａとメモリ４４に記憶される複数の画像の順序とに基づいて、数字キー１４ａより入力された数「４」だけ画像Ａより前及び後に記憶されている画像Ｂ及び画像Ｃをフレームバッファ４２ａに記憶させる。
【００３４】
ステップＳ４において、表示更新部４２ｂは、ステップＳ２において数字キー１４ａの長押し入力を受け付けてから所定期間内にサイドキー１６が押下されたか否かを判定する。所定期間内にサイドキー１６が押下された場合（Ｙｅｓ）には、ステップＳ５へ移る。一方、所定期間内にサイドキー１６が押下されない場合（Ｎｏ）には、処理を終了する。
【００３５】
ステップＳ５において、表示更新部４２ｂは、ステップＳ４においてサイドキー１６ａが押下された場合には、数字キー１４ａの数「４」だけ前の画像Ｂを、フレームバッファ４２ａから読み出して、表示部２１に表示する。一方、ステップＳ４においてサイドキー１６ｂが押下された場合には、数字キー１４ａの数「４」だけ後の画像Ｃを、フレームバッファ４２ａから読み出して、表示部２１に表示する。
【００３６】
このように第１実施形態の携帯電話機１によれば、表示部２１に複数の画像のうちの画像Ａが表示されている状態で、数字キー１４ａへの入力を受け付けた場合、画像Ａとメモリ４４に記憶される複数の画像の順序とに基づいて、数字キー１４ａより入力された数だけ画像Ａより前及び後に記憶されている画像Ｂ及び画像Ｃをフレームバッファ４２ａに記憶させる。そして、数字キー１４ａへの入力を受け付けてから所定期間内に、画像Ｂ又は画像Ｃのいずれか一方を選択するサイドキー１６（１６ａ、１６ｂ）への選択操作を受け付けた場合、表示部２１に表示される画像Ａからフレームバッファ４２ａに記憶される画像Ｂ又は画像Ｃのいずれか一方へ表示を更新する。
【００３７】
したがって、第１実施形態の携帯電話機１によれば、画像の視認性を確保しつつ、数字キー１４ａ及びサイドキー１６の簡易な操作により、表示部２１に表示される画像から所望の枚数前又は後に記憶される画像へ表示を更新することができる。
【００３８】
＜第２実施形態＞
次に、第２実施形態の携帯電話機１について説明する。なお、第２実施形態では、第１実施形態と同一の構成には、同一の符号を付し、第１実施形態と同一の動作及び処理については、説明を簡略化又は省略する。第２実施形態の携帯電話機１は、表示部２１に表示される画像を更新する前にプレビュー画像を表示する点が第１実施形態とは主に異なる。
【００３９】
第２実施形態の携帯電話機１が表示部２１に画像を表示する際の動作について、図５（ａ）〜（ｃ）を参照しながら説明する。図５（ａ）〜（ｃ）は、第２実施形態の携帯電話機１における表示部２１、数字キー１４ａ、及びサイドキー１６の動作について示す模式図である。
【００４０】
図５（ａ）に示すように、表示部２１には、画像Ａが全画面表示されている。画像制御部４５ａは、表示部２１に画像Ａが表示されている状態で、数字キー１４ａへ数「４」の長押し入力を受け付ける。画像制御部４５ａは、数字キー１４ａへ数「４」の長押し入力を受け付けた場合、画像Ａとメモリ４４に記憶される複数の画像の順序とに基づいて、数字キー１４ａより入力された数「４」だけ、画像Ａより前及び後に記憶されている画像Ｂ、及び画像Ｃをフレームバッファ４２ａに記憶させる。
【００４１】
プレビュー画像生成部４５ｂは、画像Ｂ及び画像Ｃの少なくとも一部を画像Ａに重畳させたプレビュー画像Ｆを生成する。
【００４２】
表示更新部４２ｂは、画像Ａが表示されている状態で数字キー１４ａへ数「４」の長押し入力を受け付けた際（図５（ａ）参照）に、画像Ａの表示から、プレビュー画像生成部４５ｂにより生成されたプレビュー画像Ｆの表示へ、表示部２１の表示を更新する（図５（ｂ）参照）。
【００４３】
ここで、プレビュー画像Ｆは、図５（ｂ）に示すように、画像Ａと、画像Ｂの一部Ｂ１と、画像Ｃの一部Ｃ１と、演出画像Ｄ及びＥと、から構成される。そして、プレビュー画像Ｆは、画像Ｂの一部Ｂ１及び演出画像Ｄにより、画像Ａから４枚前に記憶される画像Ｂへ画像が順次めくられるような態様の画像を含んでいる。また、プレビュー画像Ｆは、画像Ｃの一部Ｃ１及び演出画像Ｅにより、画像Ａから４枚後に記憶される画像Ｃへ画像が順次めくられるような態様の画像を含んでいる。
【００４４】
そして、表示更新部４２ｂは、プレビュー画像Ｆが表示されている状態で、画像Ｂ又は画像Ｃのいずれか一方を選択するサイドキー１６による選択操作を受け付けた場合、プレビュー画像Ｆからフレームバッファ４２ａに記憶される画像Ｂ又は画像Ｃのいずれか一方へ表示を更新する。
【００４５】
具体的には、図５（ｂ）に示すように、表示更新部４２ｂは、数字キー１４ａへ数値「４」の長押し入力を受け付けてから所定期間内に、サイドキー１６ａにより画像Ｂを選択する選択操作を受け付ける。
【００４６】
そして、図５（ｃ）に示すように、表示更新部４２ｂは、表示部２１に表示されるプレビュー画像Ｆから、フレームバッファ４２ａに記憶される画像Ｂへ表示を切り替える。すなわち、数字キー１４ａへ数値「４」の長押し入力を受け付けてから所定期間内に、サイドキー１６ａにより画像Ｂを選択する選択操作を受け付けると、プレビュー画像Ｆから、画像Ａよりも４枚前に記憶されている画像Ｂへと表示部２１の表示を更新する。
【００４７】
次に、第２実施形態の携帯電話機１の表示部２１に画像を表示する際の処理の流れについて図６のフローチャートを参照しながら説明する。
【００４８】
なお、ステップＳ１１〜ステップＳ１３は、第１実施形態におけるステップＳ１〜ステップＳ３と同様の処理であるため、説明を省略する。
ステップＳ１４において、プレビュー画像生成部４５ｂは、メモリ４４に記憶される画像Ｂ及びＣの一部である画像Ｂ１及び画像Ｃ１と、演出画像Ｄ及びＥとを画像Ａの上に重畳させたプレビュー画像Ｆを生成する。
【００４９】
ステップＳ１５において、表示更新部４２ｂは、表示部２１に表示されている画像Ａから、ステップＳ１４において生成されたプレビュー画像Ｆへ表示部２１の表示を更新する。
【００５０】
ステップＳ１６において、表示更新部４２ｂは、ステップＳ２において数字キー１４ａの長押し入力を受け付けてから所定期間内にサイドキー１６が押下されたか否かを判定する。所定期間内にサイドキー１６が押下された場合（Ｙｅｓ）には、ステップＳ１７へ移る。一方、所定期間内にサイドキー１６が押下されない場合（Ｎｏ）には、ステップＳ１１へ移り、再度画像Ａを表示する。
【００５１】
ステップＳ１７において、表示更新部４２ｂは、ステップＳ１６においてサイドキー１６ａが押下された場合には、数字キー１４ａの数「４」だけ前の画像Ｂをフレームバッファ４２ａから読み出して、表示部２１に表示する。一方、ステップＳ１５においてサイドキー１６ｂが押下された場合には、数字キー１４ａの数「４」だけ後の画像Ｃをフレームバッファ４２ａから読み出して、表示部２１に表示する。
【００５２】
第２実施形態の携帯電話機１によれば、第１実施形態の効果に加えて、以下の効果を奏することができる。
【００５３】
第２実施形態の携帯電話機１によれば、画像Ａから画像Ｂ又は画像Ｃへ表示を更新する前に、画像Ｂ及びＣの一部を含むプレビュー画像Ｆを表示する。したがって、ユーザは、プレビュー画像Ｆに含まれる画像Ｂ及びＣの一部を視認することで、画像Ａから前及び後の画像である画像Ｂ及びＣの内容を確認することができる。
【００５４】
＜第３実施形態＞
次に、第２実施形態の変形例である第３実施形態の携帯電話機１について説明する。なお、第３実施形態では、第１及び第２実施形態と同一の構成には、同一の符号を付し、第１及び第２実施形態と同一の動作及び処理については、説明を簡略化又は省略する。第３実施形態の携帯電話機１は、プレビュー画像が、表示部２１に表示されている画像の前及び後の画像の縮小画像を含む点が第２実施形態とは主に異なる。
【００５５】
第３実施形態の携帯電話機１が表示部２１に画像を表示する際の動作について、図７（ａ）〜（ｃ）を参照しながら説明する。図７（ａ）〜（ｃ）は、第３実施形態の携帯電話機１における表示部２１、数字キー１４ａ、及びサイドキー１６の動作について示す模式図である。
【００５６】
図７（ａ）に示すように、表示部２１には、画像Ａが全画面表示されている。画像制御部４５ａは、表示部２１に画像Ａが表示されている状態で、数字キー１４ａへ数「４」の長押し入力を受け付ける。画像制御部４５ａは、数字キー１４ａへ数「４」の長押し入力を受け付けた場合、画像Ａとメモリ４４に記憶される複数の画像の順序とに基づいて、数字キー１４ａより入力された数「４」だけ、画像Ａより前及び後に記憶されている画像Ｂ、及び画像Ｃをフレームバッファ４２ａに記憶させる。
【００５７】
プレビュー画像生成部４５ｂは、画像Ｂ及びＣの縮小画像である画像Ｂ２及び画像Ｃ２を、画像Ａに重畳させたプレビュー画像Ｇを生成する。
【００５８】
表示更新部４２ｂは、画像Ａが表示されている状態で数字キー１４ａへ数「４」の長押し入力を受け付けた際（図７（ａ）参照）に、画像Ａの表示から、画像Ｂ及び画像Ｃの縮小画像である画像Ｂ２及び画像Ｃ２を、画像Ａに重畳させたプレビュー画像Ｇの表示へ、表示部２１の表示を更新する（図７（ｂ）参照）。
【００５９】
そして、表示更新部４２ｂは、プレビュー画像Ｇが表示されている状態で、画像Ｂ又は画像Ｃのいずれか一方を選択するサイドキー１６による選択操作を受け付けた場合、プレビュー画像Ｇからフレームバッファ４２ａに記憶される画像Ｂ又は画像Ｃのいずれか一方へ表示を更新する。
【００６０】
具体的には、図７（ｂ）に示すように、表示更新部４２ｂは、数字キー１４ａへ数「４」の長押し入力を受け付けてから所定期間内に、サイドキー１６ａにより画像Ｂを選択する選択操作を受け付ける。
【００６１】
そして、図７（ｃ）に示すように、表示更新部４２ｂは、表示部２１に表示されるプレビュー画像Ｇから、フレームバッファ４２ａに記憶される画像Ｂへ表示を切り替える。すなわち、数字キー１４ａへ数「４」の長押し入力を受け付けてから所定期間内に、サイドキー１６ａにより画像Ｂを選択する選択操作を受け付けると、プレビュー画像Ｇから、画像Ａよりも４枚前に記憶されている画像Ｂへと表示部２１の表示を更新する。
【００６２】
次に、第３実施形態の携帯電話機１の表示部２１に画像を表示する際の処理の流れについて図８のフローチャートを参照しながら説明する。
【００６３】
なお、第３実施形態におけるステップＳ２１〜ステップＳ２３の処理は、第２実施形態におけるステップＳ１１〜ステップＳ１３と同様の処理であるため、説明を省略する。
【００６４】
ステップＳ２４において、プレビュー画像生成部４５ｂは、メモリ４４に記憶される画像Ｂ及びＣの縮小画像である画像Ｂ２及び画像Ｃ２を、画像Ａの上に重畳させたプレビュー画像Ｇを生成する。
【００６５】
ステップＳ２５において、表示更新部４２ｂは、表示部２１に表示されている画像Ａから、ステップＳ２４において生成されたプレビュー画像Ｇへ表示部２１の表示を更新する。
【００６６】
ステップＳ２６において、表示更新部４２ｂは、ステップＳ２２において数字キー１４ａの長押し入力を受け付けてから所定期間内にサイドキー１６が押下されたか否かを判定する。所定期間内にサイドキー１６が押下された場合（Ｙｅｓ）には、ステップＳ２７へ移る。一方、所定期間内にサイドキー１６が押下されない場合（Ｎｏ）には、ステップＳ２１へ移り、再度画像Ａを表示する。
【００６７】
ステップＳ２７において、表示更新部４２ｂは、ステップＳ２６においてサイドキー１６ａが押下された場合には、数字キー１４ａの数「４」だけ前の画像Ｂをフレームバッファ４２ａから読み出して、表示部２１に表示する。一方、ステップＳ２６においてサイドキー１６ｂが押下された場合には、数字キー１４ａの数「４」だけ後の画像Ｃをフレームバッファ４２ａから読み出して、表示部２１に表示する。
【００６８】
第３実施形態の携帯電話機１によれば、第１及び第２実施形態の効果に加えて、以下の効果を奏することができる。
【００６９】
第３実施形態の携帯電話機１によれば、画像Ａから画像Ｂ又は画像Ｃへ表示を更新する前に、画像Ｂ及びＣの縮小画像を画像Ａに重畳させたプレビュー画像Ｇを表示する。したがって、ユーザは、プレビュー画像Ｇに含まれる画像Ｂ及びＣの縮小画像を視認することで、画像Ａから前及び後の画像である画像Ｂ及びＣの内容をより明瞭に確認することができる。
【００７０】
＜第４実施形態＞
次に、第４実施形態の携帯電話機１について説明する。なお、第４実施形態では、第１、第２及び第３実施形態と同一の構成には、同一の符号を付し、第１、第２及び第３実施形態と同一の動作及び処理については、説明を簡略化又は省略する。第４実施形態の携帯電話機１は、プレビュー画像に替えてサムネイル画像を表示する点が第２及び３実施形態とは主に異なる。
【００７１】
第４実施形態の携帯電話機１が表示部２１に画像を表示する際の動作について、図９（ａ）〜（ｃ）を参照しながら説明する。図９（ａ）〜（ｃ）は、第４実施形態の携帯電話機１における表示部２１、数字キー１４ａ、及びサイドキー１６の動作について示す模式図である。
【００７２】
図９（ａ）に示すように、表示部２１には、画像Ａが全画面表示されている。画像制御部４５ａは、表示部２１に画像Ａが表示されている状態で、数字キー１４ａへ数「４」の長押し入力を受け付ける。画像制御部４５ａは、数字キー１４ａへ数「４」の長押し入力を受け付けた場合、画像Ａとメモリ４４に記憶される複数の画像の順序とに基づいて、数字キー１４ａより入力された数「４」だけ、画像Ａより前及び後に記憶されている画像Ｂ、及び画像Ｃをフレームバッファ４２ａに記憶させる。
【００７３】
サムネイル画像生成部４５ｃは、メモリ４４に記憶された複数の画像のサムネイル画像Ｈを生成する。また、サムネイル画像生成部４５ｃは、サムネイル画像Ｈのうちの画像Ｂ及びＣのサムネイル画像Ｂ３及びＣ３を所定の態様で演出する。例えば、サムネイル画像Ｂ３及びＣ３を強調するハイライト処理を行う。なお、ハイライト処理に限らず、ブリンクされる等、サムネイル一覧中で画像Ｂ３及びＣ３を目立たせる処理であればよい。
【００７４】
そして、図９（ｂ）に示すように、表示更新部４２ｂは、サムネイル画像Ｈが表示されている状態で、画像Ｂ又は画像Ｃのいずれか一方を選択するサイドキー１６による選択操作を受け付けた場合、サムネイル画像Ｈからフレームバッファ４２ａに記憶される画像Ｂ又は画像Ｃのいずれか一方へ表示を更新する。
【００７５】
具体的には、図９（ｂ）に示すように、表示更新部４２ｂは、数字キー１４ａへ数「４」の入力を受け付けてから所定期間内に、サイドキー１６ａにより画像Ｂを選択する選択操作を受け付ける。
【００７６】
そして、図９（ｃ）に示すように、表示更新部４２ｂは、表示部２１に表示されるサムネイル画像Ｈから、フレームバッファ４２ａに記憶される画像Ｂへ表示を切り替える。すなわち、数字キー１４ａへ数「４」の入力を受け付けてから所定期間内に、サイドキー１６ａにより画像Ｂを選択する選択操作を受け付けると、サムネイル画像Ｈから、画像Ａよりも４枚前に記憶されている画像Ｂへと表示部２１の表示を更新する。
【００７７】
また、表示更新部４２ｂは、数字キー１４ａの数「４」が長押し入力されている間、すなわち数字キー１４ａの数「４」への長押し入力が維持されている間、サムネイル画像Ｈの一覧を表示部２１に表示する。そして、表示更新部４２ｂは、数字キー１４ａの数「４」への長押し入力が解除された場合、サムネイル画像Ｈの一覧表示から画像Ａの表示へ表示部２１の表示を更新する。
【００７８】
次に、第４実施形態の携帯電話機１の表示部２１に画像を表示する際の処理の流れについて図１０のフローチャートを参照しながら説明する。
【００７９】
なお、第４実施形態におけるステップＳ３１〜ステップＳ３３の処理は、第２実施形態におけるステップＳ１１〜ステップＳ１３、及び第３実施形態におけるステップＳ２１〜ステップＳ２３と同様の処理であるため、説明を省略する。
【００８０】
ステップＳ３４において、サムネイル画像生成部４５ｃは、メモリ４４に記憶された複数の画像のサムネイル画像Ｈを生成する。
【００８１】
ステップＳ３５において、サムネイル画像生成部４５ｃは、サムネイル画像Ｈのうちのサムネイル画像Ｂ３及びＣ３を所定の態様で演出し、サムネイル画像Ｂ３及びＣ３を強調するハイライト処理を行う。
【００８２】
ステップＳ３６において、表示更新部４２ｂは、表示部２１に表示されている画像Ａから、ステップＳ３４及びステップＳ３５において生成された複数のサムネイル画像Ｈの一覧表示へ表示部２１の表示を更新する。
【００８３】
ステップＳ３７において、表示更新部４２ｂは、数字キー１４ａの数「４」へ長押し入力が維持されているか否かを判定する。長押し入力が維持されている場合（Ｙｅｓ）には、ステップＳ３８へ移る。一方、長押し入力が解除されている場合（Ｎｏ）には、ステップＳ３１へ移る。
【００８４】
ステップＳ３８において、表示更新部４２ｂは、ステップＳ３２において数字キー１４ａの数「４」の長押し入力を受け付けてから所定期間内にサイドキー１６が押下されたか否かを判定する。所定期間内にサイドキー１６が長押し入力された場合（Ｙｅｓ）には、ステップＳ３９へ移る。一方、所定期間内にサイドキー１６が長押し入力されない場合（Ｎｏ）には、サムネイル画像Ｈの一覧表示を維持し、ステップＳ３７へ移る。
【００８５】
ステップＳ３９において、表示更新部４２ｂは、ステップＳ３８においてサイドキー１６ａが押下された場合には、数字キー１４ａの数「４」だけ前の画像Ｂをフレームバッファ４２ａから読み出して、表示部２１に表示する。一方、ステップＳ３８においてサイドキー１６ｂが押下された場合には、数字キー１４ａの数「４」だけ後の画像Ｃをフレームバッファ４２ａから読み出して、表示部２１に表示する。
【００８６】
第４実施形態の携帯電話機１によれば、第１、第２及び第３実施形態の効果に加えて、以下の効果を奏することができる。
【００８７】
第４実施形態の携帯電話機１によれば、画像Ａから画像Ｂ又は画像Ｃへ表示を更新する前に、サムネイル画像Ｂ３及びＣ３を含む複数の画像のサムネイル画像Ｈの一覧を表示する。したがって、ユーザは、サムネイル画像Ｈの一覧に含まれる画像Ｂ及びＣのサムネイル画像を視認することで、画像Ａから前及び後の画像である画像Ｂ及びＣの内容をより明瞭に確認することができる。
【００８８】
また、第４実施形態の携帯電話機１によれば、数字キー１４ａの長押し入力を維持している間は、サムネイル画像Ｈの一覧が表示され、数字キー１４ａの長押し入力を解除した場合には、元の画像Ａが表示される。したがって、元の画像Ａと、サムネイル画像Ｈとの表示の更新をより好適に行うことができる。
【００８９】
以上、本発明の実施形態について説明したが、本発明は上述した実施形態に制限されるものではなく、適宜変更が可能である。例えば、上述した実施形態では、表示部２１に表示される画像に対応するアプリケーションは、特に制限されない。例えば、カメラで撮像された画像を表示するアプリケーション、画像と共に日記を表示する日記アプリケーション、電子ブックアプリケーション等の画像を表示する機能を有するアプリケーションであればよい。
【００９０】
また、上述した実施形態では、数字キー１４ａの長押し入力により表示部２１に表示される画像から前及び後の画像をメモリ４４から読み出したが、数字を入力するキーは、数字キー１４ａに限らず、また、数字を入力するキーの操作形態も長押し入力に限らない。
【００９１】
また、上述した実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【符号の説明】
【００９２】
１  携帯電話機（携帯電子機器）
１４  入力操作キー（操作部）
２１  表示部
３０ａ  サイドキー（操作部）
３０ｂ  サイドキー（操作部）
４２  表示制御部
４２ａ  フレームバッファ（一時記憶部）
４２ｂ  表示更新部
４４  メモリ（記憶部）
４５  制御部
４５ａ  画像制御部
４５ｂ  プレビュー画像生成部
４５ｃ  サムネイル画像生成部
【図１】
2010177868.tif 000003
【図２】
2010177868.tif 000004
【図３】
2010177868.tif 000005
【図４】
2010177868.tif 000006
【図５】
2010177868.tif 000007
【図６】
2010177868.tif 000008
【図７】
2010177868.tif 000009
【図８】
2010177868.tif 000010
【図９】
2010177868.tif 000011
【図１０】
2010177868.tif 000012